(57)【要約】【課題】保守員や店員の操作の効率性およびセキュリティの高い画像出力システムを提供する。【解決手段】画像出力装置１０５の制御部５０１は、画像出力装置１０５をメンテナンスモードにし（ステップＳ１１）、二次元コード読取機４０９が読み取ったユーザ情報８００をサーバ１０１に送信する（ステップＳ１２）。制御部２０１は、ユーザ情報８００と、ユーザ管理情報９００を照合し（ステップＳ１３）、一致する場合（ステップＳ１４のＹｅｓ）には、対応するアプリケーションプログラムＩＤ１００３を読み込み、画像出力装置１０５に送信する（ステップＳ１５）。画像出力装置１０５の制御部５０１は、サーバ１０１より受信したアプリケーションプログラムＩＤ１００３を参照し、メンテナンスアプリケーションプログラム３１５を呼び出し、モニタ４０１に操作のための画面を表示する（ステップＳ１８）。【選択図】図１２
2008065655.tif 000002
【特許請求の範囲】
【請求項１】
サーバと、画像出力装置がネットワークを介して接続された画像出力システムであって、
前記画像出力装置は、
携帯端末又はネームプレートよりユーザ固有の情報を読み取る手段と、
前記ユーザ固有の情報を前記サーバに送信する送信手段と、
を具備し、
前記サーバは、受信した前記ユーザ固有の情報と、前記サーバ内のユーザ情報を比較判定する手段と、
前記比較判定手段が前記ユーザ固有の情報と前記ユーザ情報とが一致したと判定した場合、前記ユーザ固有の情報に対応して前記画像出力装置に対して特定の機能を行わせるアプリケーション情報を読み取る手段と、
前記アプリケーション情報を前記画像出力装置に送信する送信手段と、
を具備し、
前記画像出力装置は、前記サーバから送られる前記アプリケーション情報に基づいて前記特定機能を行うことを特徴とする画像出力システム。
【請求項２】
前記ユーザ固有の情報は、携帯端末またはネームプレートの二次元コードに格納されることを特徴とする請求項１記載の画像出力システム。
【請求項３】
前記特定機能とは、特定のユーザのみに許可された管理機能または保守機能であることを特徴とする請求項１記載の画像出力システム。
【請求項４】
ネットワークを介して、画像出力装置と接続されたサーバであって、
画像出力装置から受信したユーザ固有の情報と、サーバ内のユーザ情報を比較判定する手段と、
前記比較判定手段が前記ユーザ固有の情報と前記ユーザ情報とが一致したと判定した場合、前記ユーザ固有の情報に対応して前記画像出力装置に対して特定の機能を行わせるアプリケーション情報を読み取る手段と、
前記アプリケーション情報を前記画像出力装置に送信する送信手段と、
を具備することを特徴とするサーバ。
【請求項５】
前記ユーザ固有の情報は、携帯端末またはネームプレートの二次元コードに格納されることを特徴とする請求項４記載のサーバ。
【請求項６】
前記特定機能とは、特定のユーザのみに許可された管理機能または保守機能であることを特徴とする請求項４記載のサーバ。
【請求項７】
ネットワークを介して、サーバと接続された画像出力装置であって、
携帯端末又はネームプレートよりユーザ固有の情報を読み取る手段と、
前記ユーザ固有の情報を前記サーバに送信する送信手段と、
前記サーバから送られるアプリケーション情報に基づいて特定機能を行う手段を具備することを特徴とする画像出力装置。
【請求項８】
前記ユーザ固有の情報は、携帯端末またはネームプレートの二次元コードに格納されることを特徴とする請求項７記載の画像出力装置。
【請求項９】
前記特定機能とは、特定のユーザのみに許可された管理機能または保守機能であることを特徴とする請求項７記載の画像出力装置。
【請求項１０】
コンピュータを請求項４乃至６記載のサーバとして機能させるプログラム。
【請求項１１】
コンピュータを請求項７乃至９記載の画像出力装置として機能させるプログラム。
【発明の詳細な説明】
【技術分野】
【０００１】
本発明は、画像データを出力する画像出力システム等に関する。
【背景技術】
【０００２】
近年、画像出力装置（デジタルフォトプリント装置等）が街頭端末（ＫＩＯＳＫ端末）として店舗内や街頭に設置され、利用されている。この画像出力装置は、デジタルカメラ等で撮像した画像、記録媒体に記録されている画像データ等を読み込んで、画像編集、画像合成、プリント出力等を行う（例えば、［特許文献１］参照。）。
【０００３】
画像出力装置は、写真店、家電量販店、ショッピングモール等に設置され、一般利用者（顧客）は、自分のデジタルカメラで撮影した画像データを記録した記録媒体を持参して画像出力装置に読み取らせ、あるいは、その場で撮影を行い、必要に応じて画像編集処理等を行い、出力サイズ、出力枚数等を指定して高精細なカラープリントを出力し、そのまま持ち帰ることができる。
【０００４】
【特許文献１】特開２００２−４６３２４号公報
【０００５】
一方で、画像出力装置の保守を行う際には、保守員が、顧客が通常使用するための顧客用のモードから、保守（メンテナンス）モードに切り替えて使用する。また、画像出力装置が設置された店舗において各種設定を行う場合には、店員が、顧客用のモードから店員用のモードに切り替えて使用する。
【０００６】
モードを切り替える際、保守員や店員は画像出力装置に設けられたメンテナンスキーを操作し、さらにキーボードやタッチパネルからユーザＩＤやパスワード等の情報を入力する。
【発明の開示】
【発明が解決しようとする課題】
【０００７】
しかしながら、キーボードやタッチパネルでの操作は煩雑であり、効率性にかける。また、ＩＤやパスワードの入力の際にモニタを通して他人に見られる恐れがあり、セキュリティ面でも問題があった。
【０００８】
本発明は、以上の問題点に鑑みてなされたものであり、保守員や店員の操作性が良好でセキュリティの高い画像出力システム等を提供することを目的とする。
【課題を解決するための手段】
【０００９】
前述した目的を達成するために第１の発明は、サーバと、画像出力装置がネットワークを介して接続された画像出力システムであって、前記画像出力装置は、携帯端末又はネームプレートよりユーザ固有の情報を読み取る手段と、前記ユーザ固有の情報を前記サーバに送信する送信手段と、を具備し、前記サーバは、受信した前記ユーザ固有の情報と、前記サーバ内のユーザ情報を比較判定する手段と、前記比較判定手段が前記ユーザ固有の情報と前記ユーザ情報とが一致したと判定した場合、前記ユーザ固有の情報に対応して前記画像出力装置に対して特定の機能を行わせるアプリケーション情報を読み取る手段と、前記アプリケーション情報を前記画像出力装置に送信する送信手段と、を具備し、前記画像出力装置は、前記サーバから送られる前記アプリケーション情報に基づいて前記特定機能を行うことを特徴とする画像出力システムである。
【００１０】
第１の発明では、画像出力装置は、サーバは携帯端末又はネームプレートよりユーザ固有の情報を読み取り、サーバに送信する。サーバは、受信したユーザ固有の情報と、サーバ内のユーザ情報を比較判定し、ユーザ固有の情報とユーザ情報とが一致したと判定した場合、画像出力装置に対して、ユーザ固有の情報、すなわちユーザの属性に対応した特定の機能を行わせるためのアプリケーション情報を送信する。画像出力装置は、サーバから送られるアプリケーション情報に基づいて特定機能を行う。
【００１１】
ユーザ固有の情報は、携帯端末またはネームプレートの二次元コードに格納される。特定の機能とは、特定のユーザのみに許可された管理機能または保守機能であり、例えば店員が行う売り上げ管理や保守員が行うメンテナンス等の機能である。
【００１２】
第２の発明は、ネットワークを介して、画像出力装置と接続されたサーバであって、画像出力装置から受信したユーザ固有の情報と、サーバ内のユーザ情報を比較判定する手段と、前記比較判定手段が前記ユーザ固有の情報と前記ユーザ情報とが一致したと判定した場合、前記ユーザ固有の情報に対応して前記画像出力装置に対して特定の機能を行わせるアプリケーション情報を読み取る手段と、前記アプリケーション情報を前記画像出力装置に送信する送信手段と、を具備することを特徴とするサーバである。
【００１３】
第３の発明は、ネットワークを介して、サーバと接続された画像出力装置であって、携帯端末又はネームプレートよりユーザ固有の情報を読み取る手段と、前記ユーザ固有の情報を前記サーバに送信する送信手段と、前記サーバから送られるアプリケーション情報に基づいて特定機能を行う手段を具備することを特徴とする画像出力装置である。
【００１４】
第４の発明は、コンピュータを第２の発明のサーバとして機能させるプログラムである。
第５の発明は、コンピュータを第３の発明の画像出力装置として機能させるプログラムである。
【００１５】
上述のプログラムをＣＤ−ＲＯＭ等の記録媒体に保持させて流通させてもよいし、このプログラムを通信回線を介して送受することもできる。
【発明の効果】
【００１６】
本発明によれば、保守員や店員の操作性が良好でセキュリティの高い画像出力システム等を提供することができる。
【発明を実施するための最良の形態】
【００１７】
以下、添付図面を参照しながら、画像出力システム等の好適な実施形態について詳細に説明する。
【００１８】
最初に、図１を参照しながら、本発明の実施の形態に係る画像出力システム１００の構成について説明する。
図１は、画像出力システム１００の構成を示す図である。
【００１９】
図１に示すように、画像出力システム１００は、サーバ１０１と、複数の画像出力装置１０５がネットワーク１０３を介して接続されている。画像出力装置１０５は、街頭端末（ＫＩＯＳＫ端末）として店舗内や街頭に設置される。
【００２０】
画像出力システム１００において、画像出力装置１０５は二次元コード読取機４０９（図３で後述する。）を有し、二次元コード読取機４０９が携帯電話１０７またはネームプレート１０９に表示された二次元コードを読み取る。
【００２１】
ネットワーク１０３は、インターネット、ローカルエリアネットワーク（ＬＡＮ）、社内ＬＡＮ等のネットワークであり、有線、無線を問わない。
尚、サーバ１０１は、サーバコンピュータ等であり、ネットワーク１０３を介して、各種情報を提供する。
【００２２】
次に、図２を参照しながら、本発明の実施の形態に係るサーバ１０１の概略構成について説明する。
図２はサーバ１０１のハードウエア構成図である。
図２に示すように、サーバ１０１は、制御部２０１、記憶部２０３、通信部２０５、表示部２０７、入力部２０９、入出力部２１１等がバス２１３を介して互いに接続されて構成される。
【００２３】
制御部２０１は、ＣＰＵ（Ｃｅｎｔｒａｌ  Ｐｒｏｃｅｓｓｉｎｇ  Ｕｎｉｔ  ）、ＲＯＭ（Ｒｅａｄ  Ｏｎｌｙ  Ｍｅｍｏｒｙ  ）、ＲＡＭ（Ｒａｎｄｏｍ  Ａｃｃｅｓｓ  Ｍｅｍｏｒｙ）等を有する。
【００２４】
ＣＰＵは、記憶装置、ＲＯＭ、記録媒体等に格納されるプログラムをＲＡＭ上のワークメモリ領域に呼び出して実行し、演算処理、動作制御等を行い、各種機能を実現する。
ＲＯＭは、不揮発性メモリであり、プログラム、データ等を恒久的に保持し、ＲＡＭは、揮発性メモリであり、プログラム、データ等を一時的に保持する。
【００２５】
記憶部２０３は、データを記憶する装置であり、ハードディスク、メモリ等を有する。記憶部には、ＣＰＵが実行するプログラム、プログラム実行に必要なデータ、ＯＳ（Ｏｐｅｒａｔｉｎｇ  Ｓｙｓｔｅｍ）等が格納される。
【００２６】
プログラムは、例えば、サーバ１０１内の処理を実行するプログラム、ＣＧＩ（Ｃｏｍｍｏｎ  Ｇａｔｅｗａｙ  Ｉｎｔｅｒｆａｃｅ）プログラム、ＡＳＰ（Ａｃｔｉｖｅ  Ｓｅｒｖｅｒ  Ｐａｇｅｓ）プログラム等である。
【００２７】
通信部２０５は、サーバ１０１とネットワーク１０３間の通信を媒介する通信インタフェースであり、通信制御装置、通信ポート等を有する。
【００２８】
表示部２０７は、ＣＲＴモニタ、液晶パネル等のディスプレイ装置、ディスプレイ装置と連携してコンピュータのビデオ機能を実現するための論理回路等（ビデオアダプタ等）を有する。
【００２９】
入力部２０９は、データの入力を行い、例えば、キーボード、マウス等のポインティングデバイス、テンキー等の入力装置を有する。
入力部２０９を介して、サーバ１０１に対して、操作指示、動作指示、データ入力、維持管理等を行うことができる。
【００３０】
入出力部２１１は、データの入出力を行い、例えば、フレキシブルディスクドライブ、ＰＤドライブ、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置等を有する。
バス２１３は、各装置間の制御信号、データ信号等の授受を媒介する経路である。
【００３１】
また、プリンタ装置等を有する出力部（図示しない）等を設け、サーバ１０１の維持管理等に用いるようにしてもよい。
尚、同様の構成を採るサーバコンピュータ等をサーバ１０１として用いることができる。
【００３２】
図３は、画像出力システム１００における画像出力装置１０５の１例である。図３に示すように、画像出力装置１０５は、画像データ読込書込手段３０１、画像編集手段３０３、プリンタ３０５、課金手段３０７、二次元コード読取機４０９、ユーザ情報送信手段３１１、アプリケーションプログラム読込手段３１３等を備える。
【００３３】
画像データ読込書込手段３０１は、被写体３２１や原稿３２３を画像入出力部５０９（図５）より読み取ったり、予め画像データが記録された記録メディア３２５から読み取ったりすることにより、画像データを取得する。また、画像データ読込書込手段３０１は、画像出力装置１０５が作成した画像データを記録メディア３２５に記録することもできる。
記録メディア３２５は、例えば、スマートメディア、コンパクトフラッシュ（登録商標）カード（ＣＦカード）、ＳＤカード、メモリースティック、フロッピー（登録商標）ディスク、ＰＣカード、ＣＤ−ＲＯＭ等である。
【００３４】
画像編集手段３０３は、１つ以上の入力または選択した画像データに対して、落書き、スタンプのような加工、画像データの切抜き、変倍、切抜いた画像の他の画像への貼付け等、合成編集等を対話的に行う対話型インタフェース手段と画像処理プログラムで構成される。
【００３５】
プリンタ３０５は、高解像度のカラープリンタである。このプリンタ３０５は、複数台設置されてもよく、昇華型あるいはインクジェット型などの方式は問わない。プリント物３２７は、プリント出力された撮像による証明写真、デジタルカメラ画像等による写真、シールプリント、はがき等である。
課金手段３０７は、出力可能な状態となった場合に、課金処理を行うことにより、印刷が可能となる。
【００３６】
二次元コード読取機４０９は、携帯電話１０７やネームプレート１０９に表示されたバーコード６０３、７０１等のバーコードの読み取りを行うための読取装置である。バーコード６０３、７０１にはユーザ固有の各種情報が含まれる。従って、バーコード６０３、７０１は、多くの情報を格納できる二次元コードであることが望ましい。二次元コードは、水平方向、垂直方向に情報を持ったバーコードであり、小さい面積で、数百文字から数千文字の情報を含むことができる。二次元コードとしては、例えばＱＲコード（登録商標）等がある。
【００３７】
ユーザ情報送信手段３１１は、二次元コード読取機４０９から読み取ったユーザ情報を、ネットワーク１０３を介してサーバ１０１に送信する手段である。
【００３８】
アプリケーションプログラム読込手段３１３は、サーバ１０１から受信した情報に基づいて、対象となるアプリケーションプログラムを読み込む手段である。対象となるアプリケーションプログラムとは、ユーザに応じたアプリケーションプログラムであり、例えばユーザが保守員であれば、保守員用の保守プログラムである。
【００３９】
次に、図４を参照しながら、画像出力装置１０５の外観構成について説明する
図４は、画像出力装置１０５の外観斜視図である。
【００４０】
画像出力装置１０５の上段部正面には、タッチパネル付きモニタ等であるモニタ４０１が配置されている。モニタ４０１は、操作の案内や、操作の状況や、読み取った画像或いは編集加工した画像等を表示する表示手段としての機能を発揮する。
【００４１】
モニタ４０１の画面の右には、メディア挿入口４０３が設置される。上段部と下段部を分けている水平部には、プリント物の画像を読み取ってデジタルデータ化するスキャナ４０５が設置される。また、モニタ４０１の画面の上には、デジタルカメラ等の撮像装置により被写体を撮像するためのレンズ窓４０７が設置される。これらのメディア挿入口４０３、スキャナ４０５、レンズ窓４０７は、画像データ読込書込手段３０１の一部を構成する。
【００４２】
メディア挿入口４０３は、各種メディア（スマートメディア、コンパクトフラッシュ（登録商標）カード（ＣＦカード）、フロッピー（登録商標）ディスク、ＰＣカード、ＣＤ−ＲＯＭ等）の挿入口であり、フロッピー（登録商標）ディスク挿入口、ＣＤ−ＲＯＭ挿入口、ＰＣカード挿入口、スマートメディア挿入口、コンパクトフラッシュ（登録商標）挿入口等がひとまとめの位置に配置されている。
【００４３】
また、画像出力装置１０５の筐体内には上記各記録メディアの挿入口４０３に対応して、それぞれの読取書込装置の本体が設置されている。各挿入口には、手数料の徴収が完了するまで記録メディアを取り出せないように、シャッタ（図示しない）を備えても良い。
【００４４】
モニタ４０１の画面の下には二次元コード読取機４０９が設けられる。二次元コード読取機４０９は、携帯電話１０７やネームプレート１０９に表示されたバーコード６０３、７０１（図６、図７で後述する。）を読み取る。バーコード６０３、７０１は、例えば多くの情報を格納できる二次元コードであり、二次元コード読取機４０９は、二次元コードを読み取る。
【００４５】
画像出力装置１０５の下段部には、メンテナンスキー４０７、料金投入口（紙幣挿入口４１１、硬貨投入口４１３）、返却レバー４１５、返却口４１７、レシート取出口４１９、プリント物取出口４２１、スピーカ４２３、ドア開閉キー４２７等がそれぞれ配置されている。
【００４６】
メンテナンスキー４０７は、一般利用者（顧客）を受け付けることのできる通常の顧客用の運転モードと、保守員、店員、管理者等が画像出力システム１００の設定やメンテナンスを行うメンテナンスモードとを切り替えるキーである。
【００４７】
料金投入口（紙幣挿入口４１１、硬貨投入口４１３）、返却レバー４１５、返却口４１７、レシート取出口４１９は、課金手段３０７の一部を構成する。
顧客は、紙幣挿入口４１１に紙幣を挿入したり、硬貨投入口４１３に硬貨を投入したりすることにより、料金を支払う。釣銭がある場合には返却口４１７から放出されるので、顧客はそれを受け取る。また、注文を取りやめる場合や硬貨が詰まった時には返却レバー４１５を回すことにより返却口４１７から放出されるので、顧客はそれを受け取る。
料金を徴収した後、レシート取出口４１９から徴収した金額や注文内容が印刷されたレシートが放出される。
【００４８】
プリント物取出口４２１は、プリンタ３０５の出力部分である。利用者は、タッチパネルボタンに触れるなどしてプリント実行を指示した後、プリント物取出口４２１から放出されるプリント物３２７を受け取る。
スピーカ４２３は、待機中や操作中に音声、ＢＧＭ、効果音などを再生する。
【００４９】
また、外観からは明確に認識できないが、画像出力装置１０５の筐体内には、画像出力装置１０５の各構成部分を制御するための制御部を含むパソコンや、電圧の変換を行う電源ボックス、停電時に制御部のＣＰＵやハードディスク等の破損を防ぐ無停電電源装置等が設置される。
【００５０】
次に、図５を参照しながら、画像出力装置１０５の概略構成について説明する。
図５は、画像出力装置１０５のハードウエア構成図である。
【００５１】
画像出力装置１０５は、制御部５０１、ハードディスク５０３、入出力部５０５（ＣＤ−ＲＯＭドライブ装置、キーボード、マウス等）、通信制御部５０７、画像入出力部５０９、シャッタ５１１（１〜ｎ）、モニタ４０１（タッチパネル付き）、コインメック５１３、ビルバリ５１５、レシートジャーナル処理部５１７、プリンタ３０５、二次元コード読取機４０９等が、バス５２１を介して接続される。
【００５２】
制御部５０１は、ＣＰＵ、ＲＯＭ、ＲＡＭ等で構成され、大容量記憶媒体としてのハードディスク５０３に格納されたプログラムに従って、バス５２１を介して接続された各装置を駆動制御する。
【００５３】
ハードディスク５０３には、各構成部分を駆動制御するプログラム、例えば各記録メディア３２５に対応する読取書込プログラム、シャッタの開閉制御プログラム、課金プログラム等の他に、画像編集手段３０３の一部として入力または選択された画像を編集加工するための画像処理プログラム、対話型メニューをモニタ４０１に表示し、プリンタ３０５に対してプリント条件を設定して、プリント開始を指示するプログラム等が格納されている。また、保守員や管理者がメンテナンスを行うためのメンテナンス・アプリケーション・プログラムも格納されている。
【００５４】
これらの各プログラムコードは、制御部５０１により必要に応じて読み出されてＲＡＭに移され、ＣＰＵに読み出されて各種の手段として実行される。
【００５５】
入出力部５０５（ＣＤ−ＲＯＭドライブ装置、キーボード、マウス等）は、制御部５０１のＲＯＭやハードディスク５０３に記憶されているプログラムや情報をバージョンアップ、あるいは、画像出力システム１００の動作設定、機器設定等の設定を行う際に用いられ、メンテナンスキーにより本体部をメンテナンスモードに切り替えて、入出力部５０５にバージョンアップ用のＣＤ−ＲＯＭを挿入し、データの書き換えを行ったり、設定データを入力して設定を行う。
【００５６】
画像入出力部５０９は、デジタルカメラ、スキャナ等からなり、画像データ読込書込手段３１１に相当する。
シャッタ５１１は、メディア挿入部４０３に設けられ、当該メディア挿入部４０３を開閉し、読取処理の最中に記録メディアを取り出せないようにしたり、課金等の処理が完了するまで記録メディアを取り出せないようにすることができる。
【００５７】
モニタ４０１に表示された操作案内に従って、同モニタ４０１に表示されたタッチパネルボタンを選択し触れることにより、プリントモードの選択およびオリジナル画像データの読み込みから、加工、合成編集、プリント物３２７の出力までの一連の操作を行うことができる。
【００５８】
コインメック５１３、ビルバリ５１５、レシートジャーナル処理部５１７は、課金手段３０７に相当し、硬貨投入、紙幣挿入の受付や、レシートの発行を行う。
二次元コード読取機４０９は、携帯電話１０７やネームプレート１０９に表示されたバーコード６０３、７０１等を読み込む。
プリンタ３０５は、画像の印刷出力処理を行う。
通信制御部５０７は、通信制御装置、通信ポート等であり、ネットワーク１０３を介して、画像出力装置１０５とサーバ１０１間の通信制御を行う。
【００５９】
次に、図６、７を参照しながら、画像出力システム１００における携帯電話１０７、ネームプレート１０９のバーコード６０３、７０１について説明する。
図６に示すように携帯電話１０７には表示部６０１が設けられ、表示部６０１には、利用者の操作に応じて各種情報が表示される。画像出力システム１００においては、携帯電話１０７がサーバ１０１等から受信した二次元のバーコード６０３が表示される。バーコード６０３には、ユーザ情報８００（図８で後述する。）が格納される。
【００６０】
図７はネームプレート１０９を示す。ネームプレート１０９には、保守員の氏名や所属、顔写真等の情報が表示される。また、ネームプレート１０９には、二次元のバーコード７０１が記載されている。バーコード７０１には、バーコード６０３と同様に、ユーザ情報８００（図８で後述する。）が格納される。
【００６１】
次に、図８を参照しながらユーザ情報８００について説明する。ユーザ情報８００は、バーコード６０３、バーコード７０１に格納される情報である。図８に示すようにユーザ情報８００は、区分８０１、ユーザＩＤ８０３、パスワード８０５、ユーザ氏名８０７、店舗コード８０９、その他ユーザ属性８１１等で構成される。
【００６２】
区分８０１は、ユーザの区分を示す。例えば、保守員は１、店員は２というように、ユーザの種類をコードで表す。
ユーザＩＤ８０３は、ユーザ固有の識別番号である。パスワード８０５は、画像出力装置１０５にログオンするための認証情報である。ユーザ氏名８０７はユーザの氏名である。店舗コード８０９は、ユーザが店員である場合に、該当ユーザが所属する店舗を示す識別番号である。その他ユーザ属性８１１は、上記に示す情報以外の様々なユーザ固有の情報である。
【００６３】
次に、図９〜図１１を参照しながら、サーバ１０１に保持されるデータについて説明する。
図９は、ユーザ管理情報９００を示す。ユーザ管理情報９００は、サーバ１０１の記憶部２０３に保持され、ユーザを管理したり、携帯電話１０７やネームプレート１０９から入力されたユーザ情報８００と照合してアプリケーションプログラムの立ち上げを指示する際に使用される。
【００６４】
図９に示すように、ユーザ管理情報９００はユーザＩＤ９０１、区分９０３、パスワード９０５、その他ユーザ属性９０７等から構成される。
ユーザＩＤ９０１は、ユーザ固有の識別番号であり、図８のユーザＩＤ８０３と同様のものである。区分９０３は、ユーザの区分を示し、図８の区分８０１と同様のものである。
【００６５】
パスワード９０５は、ユーザＩＤ９０１に相当するユーザの認証情報である。その他ユーザ属性９０７は、上記に示す情報以外のユーザ管理に必要な情報を含む。その他ユーザ属性９０７には、図８のユーザ氏名８０７や店舗コード８０９と同様のものや、ユーザ毎の画像出力装置１０５へのアクセス記録等を含んでもよい。
【００６６】
図１０はアプリケーションデータ１０００を示す。アプリケーションデータ１０００は、ログオンしたユーザに対応したアプリケーションプログラムを呼び出す際に参照されるテーブルである。アプリケーションデータ１０００は、区分１００１、アプリケーションプログラムＩＤ１００３から構成される。
【００６７】
区分１００１は、ユーザの区分を示し、図８の区分８０１、図９の区分９０３と同様のものである。アプリケーションプログラムＩＤ１００３は、区分１００１に対応して呼び出されるアプリケーションプログラムを識別する番号またはプログラム名等である。具体的には、店員が扱う売上管理等のアプリケーションプログラム、保守員が扱う保守点検用のアプリケーションプログラム等である。
【００６８】
図１１はログ１１００を示す。ログ１１００は画像出力装置１０５ごとのユーザからのアクセスの記録を保持する。ログ１１００は、端末ＩＤ１１０１、ユーザＩＤ１１０３、ログイン時刻１１０５、ログアウト時刻１１０７から構成される。
【００６９】
端末ＩＤ１１０１はサーバ１０１に接続された画像出力装置１０５を識別するＩＤである。ユーザＩＤ１１０３はユーザ固有の識別番号であり、図８のユーザＩＤ８０３、図９のユーザＩＤ９０１と同様のものである。
【００７０】
ログイン時刻１１０５は、ユーザＩＤ１１０３で示されるユーザが該当の画像出力装置１０５、すなわち端末ＩＤ１１０１で示される画像出力装置１０５にログインした時刻である。ログアウト時刻１１０７は、ユーザＩＤ１１０３で示されるユーザが該当の画像出力装置１０５からログアウトした時刻である。
ログ１１００には、上記のデータ以外に、ユーザがアクセスしたアプリケーションプログラムのアプリケーションプログラムＩＤ（図１０の１００３）や、管理に必要な他の情報を含むこともできる。
【００７１】
次に、図１２〜図１５を参照しながら、サーバ１０１、画像出力装置１０５の動作について説明する。
図１２は、画像出力装置１０５からログインしてアプリケーションプログラムを呼び出す際のサーバ１０１、画像出力装置１０５の動作を示すフローチャートである。
【００７２】
まず、画像出力装置１０５の制御部５０１は、画像出力装置１０５をメンテナンスモードにする（ステップＳ１１）。メンテナンスモードへの切り替えは、例えば、前述のとおり、画像出力装置１０５に備えられたメンテナンスキー４０７の操作等によって行われる。
【００７３】
次に、保守員等の操作者が二次元コード読取機４０９にバーコード７０３の表示された携帯電話１０７等をかざすと、画像出力装置１０５の制御部５０１は、二次元コード読取機４０９が読み取ったユーザ情報８００をサーバ１０１に送信する（ステップＳ１２）。
【００７４】
サーバ１０１の制御部２０１は、ユーザ情報８００と、ユーザ管理情報９００を照合する（ステップＳ１３）。即ちユーザ情報８００のユーザＩＤ８０３、パスワード８０５等と、ユーザ管理情報９００のユーザＩＤ９０１、パスワード９０５等を照合する。ユーザ情報８００のユーザＩＤ８０３、パスワード８０５等と、ユーザ管理情報９００のユーザＩＤ９０１、パスワード９０５等が一致しない場合（ステップＳ１４のＮｏ）、制御部２０１は、エラーメッセージを画像出力装置１０５に送信する（ステップＳ１６）。
画像出力装置１０５の制御部５０１は、サーバ１０１よりエラーメッセージを受信すると、モニタ４０１にエラーメッセージを表示する（ステップＳ１７）。
【００７５】
ユーザ情報８００のユーザＩＤ８０３、パスワード８０５等と、ユーザ管理情報９００のユーザＩＤ９０１、パスワード９０５等が一致する場合（ステップＳ１４のＹｅｓ）、制御部２０１は、アプリケーションデータ１０００より区分１００１に対応するアプリケーションプログラムＩＤ１００３を読み込み、画像出力装置１０５に送信する（ステップＳ１５）。
【００７６】
画像出力装置１０５の制御部５０１は、サーバ１０１より受信したアプリケーションプログラムＩＤ１００３を参照し、メンテナンスアプリケーションプログラム３１５を呼び出し、モニタ４０１に操作のための画面（図１３〜図１５）を表示する（ステップＳ１８）。
【００７７】
図１３〜図１５は、図１２のステップＳ１８で呼び出される表示画面の例を示すものである。
図１３は、保守員用の表示画面１３００を、図１４は店員用の表示画面１４００を、図１５は管理者用の表示画面１５００を示している。
【００７８】
図１３に示すように、ログインしたユーザが保守員である場合には保守員用メニューが表示される。保守員用メニューは、保守員が使用することのできる保守用のアプリケーションプログラムを呼び出すことができるメニューである。同様に図１４、図１５に示すように、ログインしたユーザが店員、管理者であった場合には店員用メニュー、管理者用メニューが表示される。店員用メニューは店員用のアプリケーションプログラムを呼び出すためのメニューであり、管理者用メニューは管理者用のアプリケーションプログラムを呼び出すためのメニューである。
【００７９】
また、ユーザの区分を細かく分類することによって、メニュー画面を増やすこともできる。例えば、同じ店員であっても店長、正社員、アルバイト等によって異なるメニューを表示してもよい。
【００８０】
以上のように、操作者が、携帯電話１０７やネームプレート１０９を画像出力装置１０５の二次元コード読取機４０９に翳すと、画像出力装置１０５はバーコード６０３、７０１からユーザ固有の情報を読み込んでサーバ１０１に送信する。サーバ１０１はユーザＩＤ８０３やパスワード８０５が正しいものであるか検査をした後、ユーザの区分８０１に相当するアプリケーションプログラムの情報を画像出力装置１０５に送信する。画像出力装置１０５は、サーバ１０１から受信した情報をもとに正しいアプリケーションプログラムを起動する。
【００８１】
このように、画像出力システム１００によれば、操作者は、キーボードやタッチパネルからユーザＩＤ８０３等を入力する必要がないので、効率的に操作を行うことができる。また、他人にユーザＩＤ８０３やパスワード８０５を見られることなく画像出力装置１０５への入力ができるので、データの機密性が高められ、安全性が高くなる。
【００８２】
以上、添付図面を参照しながら、本発明にかかる画像出力システム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【００８３】
以上のように、サーバ１０１と画像出力装置１０５の分散処理について説明を行ったが、画像出力装置１０５単体で以上のような処理を行ってもよい。即ち、ユーザとアプリケーションプログラムの管理を画像出力装置１０５毎に行ってもよい。
【図面の簡単な説明】
【００８４】
【図１】本発明における画像出力システム１００の概略構成図
【図２】サーバ１０１のハードウエア構成図
【図３】画像出力装置１０５の構成を示すブロック図
【図４】画像出力装置１０５の外観斜視図
【図５】画像出力装置１０５のハードウエア構成図
【図６】携帯電話１０７の概略構成図
【図７】ネームプレート１０９の概略構成図
【図８】ユーザ情報８００の一態様を示す図
【図９】ユーザ管理情報９００の一態様を示す図
【図１０】アプリケーションデータ１０００の一態様を示す図
【図１１】ログ１１００の一態様を示す図
【図１２】画像出力システム１００におけるサーバ１０１と画像出力装置１０５の動作を示すフローチャート
【図１３】表示画面１３００の一態様を示す図
【図１４】表示画面１４００の一態様を示す図
【図１５】表示画面１５００の一態様を示す図
【符号の説明】
【００８５】
１００………画像出力システム
１０１………サーバ
１０３………ネットワーク
１０５………画像出力装置
１０７………携帯電話
１０９………ネームプレート
２０１………制御部
２０３………記憶部
２０５………通信部
２０７………表示部
２０９………入力部
２１１………入出力部
４０９………二次元コード読取機
６０３、７０１………二次元コード
【図１】
2008065655.tif 000003
【図２】
2008065655.tif 000004
【図３】
2008065655.tif 000005
【図４】
2008065655.tif 000006
【図５】
2008065655.tif 000007
【図６】
2008065655.tif 000008
【図７】
2008065655.tif 000009
【図８】
2008065655.tif 000010
【図９】
2008065655.tif 000011
【図１０】
2008065655.tif 000012
【図１１】
2008065655.tif 000013
【図１２】
2008065655.tif 000014
【図１３】
2008065655.tif 000015
【図１４】
2008065655.tif 000016
【図１５】
2008065655.tif 000017